(57)【要約】課題：ロータリースイッチの操作位置に合わせて導光体の発光位置を変更することができ、安価で良好な視認性を確保することが可能な照光装置を提供する。解決手段：光を発する光源と、前記光源から出射された光を所定の場所まで導く導光体とを備えた照光装置において、前記導光体は、回転体に取り付けられて前記回転体とともに回動する導光体であって、前記導光体は、前記光源から出射された光が入射される入射面と、前記入射面から入射された光を反射させる反射面と、前記反射面によって反射された光を前記所定の場所まで導く導光部と、前記導光部を通過した光を前記回転体の回転位置に合わせて発光させる反射拡散面と、前記反射拡散面で反射拡散させた光が出射される出射面と、を備え、前記回転体が回動しても前記光源からの光が常に前記入射面に入射されることを特徴とする。
2015045610.tif 000002
【特許請求の範囲】
【請求項１】
光を発する光源と、前記光源から出射された光を所定の場所まで導く導光体とを備えた照光装置において、
前記導光体は、回転体に取り付けられて前記回転体とともに回動する導光体であって、
前記導光体は、前記光源から出射された光が入射される入射面と、前記入射面から入射された光を反射させる反射面と、前記反射面によって反射された光を前記所定の場所まで導く導光部と、前記導光部を通過した光を前記回転体の回転位置に合わせて発光させる反射拡散面と、前記反射拡散面で反射拡散させた光が出射される出射面と、
を備え、
前記回転体が回動しても前記光源からの光が常に前記入射面に入射されることを特徴とする照光装置。
【請求項２】
請求項１記載の照光装置において、前記光源がＬＥＤ（Light  Emitting  Diode）であることを特徴とする照光装置。
【請求項３】
請求項２記載の照光装置において、前記光源が単色発光タイプのＬＥＤであることを特徴とする照光装置。
【請求項４】
請求項２記載の照光装置において、前記光源が多色発光タイプのＬＥＤであることを特徴とする照光装置。
【請求項５】
請求項４記載の照光装置において、前記回転体の回転位置毎に前記光源の発光色を異ならせることを特徴とする照光装置。  
【発明の詳細な説明】
【技術分野】
【０００１】
本発明は、チャンネル数の少ない無線機のチャンネル表示用の照光装置に係り、特に、良好な視認性を確保することが可能な照光装置に関する。
【背景技術】
【０００２】
特許文献１には、車載無線機を車から取り外し、可搬用として電源供給用の蓄電池およびアンテナなどを備えた専用のケースに収納した状態で使用する場合に、容易な方法で電池の残容量を確認する事が出来る車載無線機が開示されている。【０００３】
特許文献１の車載無線機は、［図１］に示されるように、前面にチャンネル表示部７を備えており、２つのチャンネル選択キー８を押すことによって、通常チャンネル表示部７には０〜４５のチャンネル番号が表示されるようになっている。
従来の無線機におけるチャンネル番号表示は、７セグメント型ＬＥＤ（Light  Emitting  Diode：発光ダイオード）を使用して、ボタン操作によってチャンネル番号及び番号表示を切り替える方法が一般的である。
【先行技術文献】
【特許文献】
【０００４】
【特許文献１】特開２００４−１４０７４１号公報
【発明の概要】
【発明が解決しようとする課題】
【０００５】
しかし、チャンネル数の少ない（例えば、３チャンネル）無線機の場合には、２個使用で０〜９９まで表示切替えが可能な７セグメント型ＬＥＤを使用する必要がない。また、チャンネル切替え操作には、ボタンよりも操作性の良いロータリースイッチが求められる。
つまり、チャンネル数の少ない無線機では、チャンネル番号表示に７セグメント型ＬＥＤを使う必要性はなく、また、７セグメント型ＬＥＤのチャンネル番号表示を切り替えるための専用の電子回路が必要になることから、コストも嵩んでしまう。
また、７セグメント型ＬＥＤは意匠性に劣り、表示が分かり難いという問題があった。
また、チャンネル切替え操作をロータリースイッチで行うようにした場合、ロータリースイッチに装着したツマミノブの示す位置に合わせ、チャンネル番号を示す数字をフロントパネルにシルク印刷で印刷するが、印刷した数字だけではチャンネル番号が分かり難いという問題があった。【０００６】
本発明はこの様な問題を解決するためになされたもので、ロータリースイッチの操作位置に合わせて導光体の発光位置を変更することができ、安価で良好な視認性を確保することが可能な照光装置を提供することを目的とする。
【課題を解決するための手段】
【０００７】
上記目的を達成するための本発明に係る照光装置は、光を発する光源と、前記光源から出射された光を所定の場所まで導く導光体とを備えた照光装置において、前記導光体は、回転体に取り付けられて前記回転体とともに回動する導光体であって、前記導光体は、前記光源から出射された光が入射される入射面と、前記入射面から入射された光を反射させる反射面と、前記反射面によって反射された光を前記所定の場所まで導く導光部と、前記導光部を通過した光を前記回転体の回転位置に合わせて発光させる反射拡散面と、前記反射拡散面で反射拡散させた光が出射される出射面と、を備え、前記回転体が回動しても前記光源からの光が常に前記入射面に入射されることを特徴とする。【０００８】
また、上記目的を達成するための本発明に係る照光装置は、上記した照光装置において、前記光源がＬＥＤ（Light  Emitting  Diode）であることを特徴とする。【０００９】
また、上記目的を達成するための本発明に係る照光装置は、上記した照光装置において、前記光源が単色発光タイプのＬＥＤであることを特徴とする。【００１０】
また、上記目的を達成するための本発明に係る照光装置は、上記した照光装置において、前記光源が多色発光タイプのＬＥＤであることを特徴とする。【００１１】
また、上記目的を達成するための本発明に係る照光装置は、上記した照光装置において、前記回転体の回転位置毎に前記光源の発光色を異ならせることを特徴とする。
【発明の効果】
【００１２】
以上説明したように、本発明によれば、ロータリースイッチの操作位置に合わせて導光体の発光位置を変更することができ、安価で良好な視認性を確保することが可能な照光装置を提供することができる。
【図面の簡単な説明】
【００１３】
【図１】本発明を適用した実施形態１に係る無線機の一例を示す前方斜視図及び正面図である。
【図２】図１に示すＡ−Ａ面で切断した場合の断面図である。
【図３】図２に示すＢ−Ｂ面で切断した場合の断面図である。
【図４】導光体２１の詳細を説明するための図である。
【図５】ロータリースイッチ３２操作時の発光表示イメージを示す図である。
【発明を実施するための形態】
【００１４】
＜実施形態１＞［無線機１の構成］   以下、本発明を適用した実施形態１に係る無線機について、図１〜３を参照して詳細に説明する。
図１は、本発明を適用した実施形態１に係る無線機の一例を示す前方斜視図及び正面図であり、（ａ）は前方斜視図であり、（ｂ）は正面図である。なお、（ａ）の前方斜視図では、導光体２１とツマミノブ２２を取り外した状態で示している。
図２は、図１に示すＡ−Ａ面で切断した場合の断面図である。また、図３は、図２に示すＢ−Ｂ面で切断した場合の断面図である。
なお、本実施例においては、本発明を無線機に適用した場合で説明するが、本発明は、無線機に限らず、ロータリースイッチを備えた電子機器であれば、どの様な機器であっても本発明を適用することは可能である。
【００１５】
本発明を適用した実施形態１に係る無線機１は、図１〜図３に示すように、外観は、筐体１０と、フロントパネル２０と、フロントパネル２０に設けた穴部から挿通し、筐体１０内部に搭載されたロータリースイッチ３２の先端部に装着する導光体２１と、ツマミノブ２２とから構成されている。また、ツマミノブ２２が突出したフロントパネル２０の表面周囲には、無線機１のチャンネル（ｃｈ）数を示す「１」〜「３」の数字がシルク印刷等によって印刷されている。
また、筐体１０の内部には、図２に示すように、制御基板３０が取り付けられており、制御基板３０の下面には、手動で無線機１のチャンネル操作を行う（チャンネル番号を切り替える）ためのロータリースイッチ３２と、導光体２１に照明光を供給するための光源である単色発光タイプのチップＬＥＤ（Light  Emitting  Diode：発光ダイオード）３１とが実装されている。なお、チップＬＥＤ３１は、後述する導光体２１の第１の反射面２１ａの真上に位置するよう配置されている。
なお、ロータリースイッチ３２の先端には、円柱の回転軸に図示しない切り欠き部が設けられ、装着した導光体２１及びツマミノブ２２がその切り欠き部と嵌合することにより、導光体２１及びツマミノブ２２が空回りすることなくロータリースイッチ３２とともに回動するようになっている。
【００１６】
次に、導光体２１の構造について、図４を参照して説明する。
図４は導光体２１の詳細を説明するための図であり、（ａ）は前方斜視図、（ｂ）は平面図、（ｃ）は正面図、（ｄ）は右側面図、また、（ｅ）は（ｃ）に示すＣ−Ｃ面で切断した場合の断面図である。
導光体２１は、例えば、アクリル樹脂等の透明または半透明な樹脂材料で形成されている。
導光体２１は、基本的には、大きさの異なる円筒を２つ繋げたような形状をしており、後部は、所定の幅（Ｈ）及び長さを残し、円筒の途中から凹状に切り取ったような形状を成している。また、導光体２１の後述する第１の反射面２１ａは、図４の（ｂ）に示すように、チップＬＥＤ３１から出射された光を反射する際、反射した光がなるべく反射拡散面２１ｄに向かって進むよう、上から見て弧の形状を成している。なお、上記した所定の幅（Ｈ）は、ロータリースイッチ３２が所定の角度回動した場合でも、チップＬＥＤ３１から出射された光を入射させることが可能な大きさとする。
【００１７】
導光体２１は、図４に示すように、制御基板３０に実装されたチップＬＥＤ３１から出射された光（図４の（ｂ）及び（ｅ）の白抜きの矢印で示す）が入射される入射面２１ｇと、入射面２１ｇから入射された光が反射される第１の反射面２１ａと、第１の反射面２１ａで反射され、導光体２１中を前方に進んだ光が上方に向けて反射される第２の反射面２１ｂと、第２の反射面２１ｂで反射され、導光体２１中を上方に進んだ光が前方に向けて反射される第３の反射面２１ｃと、導光体２１中を上方に進んだ光の一部が拡散され、輝度が高められて前方に向けて反射される反射拡散面２１ｄと、第２の反射面２１ｂ及び反射拡散面２１ｄで反射され、導光体２１中を前方に進んだ光が出射される出射面２１ｈと、ロータリースイッチ３２先端の切り欠き部と嵌合するロータリースイッチ嵌合穴２１ｅとが形成されている。
なお、反射拡散面２１ｄには、例えば、ショットブラストによる微細凹凸加工を施し、光を反射拡散させるようにしている。
【００１８】
［無線機１の照光構造］   次に、本発明を適用した実施形態１に係る無線機１における照光構造について、図４及び図５を参照して詳細に説明する。
図５は、ロータリースイッチ３２操作時の発光表示イメージを示す図であり、（ａ）はチャンネル番号「２」選択時の発光表示イメージを示し、（ｂ）はチャンネル番号「１」選択時の発光表示イメージを示す。
ロータリースイッチ３２を操作してチャンネル番号「２」を選択した場合には、図５の（ａ）に示すように、チップＬＥＤ３１の真下に導光体２１の第１の反射面２１ａの中央部が位置する関係となり、図４の（ｅ）の白抜きの矢印で示すように、チップＬＥＤ３１から出射された光は、第１の反射面２１ａの中央部で反射されて導光体２１中を前方に進む。次に、導光体２１中を前方に進んだ光は、第２の反射面２１ｂで反射されて導光体２１中を上方に進む。次に、導光体２１中を上方に進んだ光は、第３の反射面２１ｃで反射されて導光体２１中を前方に進んで出射面２１ｈで出射されて発光する一方、反射拡散面２１ｄで反射及び拡散されて導光体２１中を前方に進んだ光は、図４（ａ）に示す目印位置２１ｆで強く発光する。なお、反射拡散面２１ｄの範囲を前方から見て円形状にすることによって、目印位置２１ｆを中心として円環状に発光させることが可能となる。
【００１９】
また、ロータリースイッチ３２を操作してチャンネル番号「１」を選択した場合には、図５の（ｂ）に示すように、チップＬＥＤ３１の真下に導光体２１の第１の反射面２１ａの一方の端部が位置する関係となり、図４の（ｅ）の白抜きの矢印で示すように、チップＬＥＤ３１から出射された光は、第１の反射面２１ａの一方の端部で反射されて導光体２１中を前方に進む。次に、導光体２１中を前方に進んだ光は、第２の反射面２１ｂで反射されて導光体２１中を上方に進む。次に、導光体２１中を上方に進んだ光は、第３の反射面２１ｃで反射されて導光体２１中を前方に進んで出射面２１ｈで出射されて発光する一方、反射拡散面２１ｄで反射及び拡散されて導光体２１中を前方に進んだ光は、ロータリースイッチ３２が反時計回りに回転した角度に応じて、導光体２１の目印位置２１ｆで強く発光する。
【００２０】
また、ロータリースイッチ３２を操作してチャンネル番号「３」を選択した場合には、チップＬＥＤ３１の真下に導光体２１の第１の反射面２１ａの他方の端部が位置する関係となり、図５の（ｂ）とは対称の位置関係となることから、ロータリースイッチ３２が時計回りに回転した角度に応じて、導光体２１の目印位置２１ｆで強く発光することになる。
【００２１】
つまり、本発明を適用した実施形態１に係る無線機１によれば、ロータリースイッチ３２を操作（回転）して所望のチャンネル番号に切り替えれば、ロータリースイッチ３２の回転操作に連動して、所望のチャンネル番号の下部が強く発光するので、無線機の操作者が設定したチャンネル番号を容易に視認することが可能となる。
【００２２】
＜他の実施形態＞   以下、本発明を適用した他の実施形態に係る無線機について、詳細に説明する。
本発明を適用した他の実施形態に係る無線機は、本発明の実施形態１に係る無線機１に対して、例えば、以下の特徴を有するものである。（１）チップＬＥＤを３色発光タイプに変更することにより、チャンネル番号（１〜３）毎に発光色を変えることによって、更に、チャンネル番号の識別が容易になる。（２）図５の（ｃ）に示すように、それぞれ発光色の異なる単色発光タイプのチップＬＥＤを３つ並べて実装し、ロータリースイッチ３２の操作に合わせて点灯するチップＬＥＤを切り替えることにより、チャンネル番号（１〜３）毎に発光色を変えることができるので、更に、チャンネル番号の識別が容易になる。
【００２３】
以上説明したように、本発明の他の実施形態に係る無線機において、ロータリースイッチの操作位置に合わせて導光体の発光位置を変更することができ、安価で良好な視認性を確保することが可能な照光装置を提供することができる。
【００２４】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【産業上の利用可能性】
【００２５】
本発明は、チャンネル数の少ない無線機のチャンネル表示用の照光装置などに係り、特に、良好な視認性を確保することが必要な照光装置に適している。
【符号の説明】
【００２６】
１：無線機、１０：筐体、２０：フロントパネル、２１：導光体、２１ａ：第１の反射面、２１ｂ：第２の反射面、２１ｃ：第３の反射面、２１ｄ：反射拡散面、２１ｅ：ロータリースイッチ嵌合穴、２１ｆ：目印位置、２１ｇ：入射面、２１ｈ：出射面、２２：ツマミノブ、３０：制御基板、３１，３１ａ，３１ｂ，３１ｃ：チップＬＥＤ、３２：ロータリースイッチ。 
【図１】
2015045610.tif 000003
【図２】
2015045610.tif 000004
【図３】
2015045610.tif 000005
【図４】
2015045610.tif 000006
【図５】
2015045610.tif 000007
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
光を発する光源と、前記光源から出射された光を所定の場所まで導く導光体とを備えた照光装置において、
前記導光体は、回転体に取り付けられて前記回転体とともに回動する円筒の形状で、前記光源側が所定の幅で円筒の途中から凹状に切り取った形状で、前記所定の幅が前記回転体が所定の角度回転した場合に光源から出射された光が入射されることが可能な大きさの導光体であって、
前記光源は、前記導光体の前記所定の幅の上面先端へ光が出射される場所に実装され、
前記導光体は、前記光源から出射された光が入射される前記所定の幅の上面先端となる入射面と、前記入射面から入射された光を反射させる反射面と、前記反射面によって反射された光を前記所定の場所まで導く導光部と、前記導光部を通過した光を前記回転体の回転位置に合わせて発光させる反射拡散面と、前記反射拡散面で反射拡散させた光が出射される出射面と、
を備え、
前記回転体が回動しても前記光源からの光が常に前記入射面に入射されることを特徴とする照光装置。
【請求項２】
請求項１記載の照光装置において、前記光源が多色発光タイプのＬＥＤであることを特徴とする照光装置。
【請求項３】
請求項２記載の照光装置において、前記回転体の回転位置毎に前記光源の発光色を異ならせることを特徴とする照光装置。
【国際調査報告】
2015045610.tif 000008
2015045610.tif 000009